(57)【要約】【課題】既存の台車に安価に装着でき、車輪に付着したゴミの除去機能をも有する消毒機構を備えた配膳用台車を提供する。【解決手段】多数の食事用トレーを運搬する配膳用台車において、適宜高さに装着した消毒液のタンクと、各車輪の走行表面に当接する拭浄部と、タンク内の消毒液を拭浄部に供給及び供給停止を行うコックを介してタンクと拭浄部とを連結するチューブ５とを備え、前記拭浄部３が、下方開口の収納部３１と、収納部内に着脱自在に装着したスポンジ体３２で構成し、収納部の上面にチューブ先端を連結すると共に、台車の台座部下方に設けた車輪取付用側板１５に前記収納部の側面部３５を、自重でスポンジ体が車輪に当接できるように回動自在に装着し、前記スポンジ体３２に消毒液が滲みるようにチューブ先端を装着してなる。【選択図】図２
0003132308.tif 000002
【実用新案登録請求の範囲】
【請求項１】
走行車輪及び多数の食事用トレーを載置する棚部を備えた配膳用台車において、適宜高さに装着した消毒液のタンクと、各車輪の走行表面に当接する拭浄部と、タンク内の消毒液を拭浄部に供給及び供給停止を行うコックを介してタンクと拭浄部とを連結するチューブとを備えてなることを特徴とする配膳用台車。
【請求項２】
拭浄部の拭浄面をスポンジ体で形成し、前記スポンジ体に消毒液が滲みるようにチューブ先端を装着してなる請求項１記載の配膳用台車。
【請求項３】
拭浄部を、下方開口の収納部と、収納部内に着脱自在に装着したスポンジ体で構成し、収納部の上面にチューブ先端を連結すると共に、台車本体の台座部下方に設けた車輪取付用側板に前記収納部の側面部を、自重でスポンジ体が走行車輪に当接できるように回動自在に装着してなる請求項２記載の配膳用台車。
【考案の詳細な説明】
【技術分野】
【０００１】
本考案は、介護施設、老人ホーム、病院などに使用される配膳用台車に関するものである。
【背景技術】
【０００２】
介護施設、老人ホームなどにおいては、調理室で調理した食事をトレーに載せて、当該食事を各居室や所定の配膳位置まで運搬する必要があり、前記の多数のトレーを載置し運搬できる台車は従前より知られている。
【０００３】
この台車は食事の運搬に際して調理室に入る場合には、調理室への雑菌の侵入を防止する必要があるので、特に床面を走行するタイヤ部分は、調理室に入室する都度消毒液を浸した布で清拭しているものである。
【０００４】
また手作業による拭浄は煩瑣であるので、特許文献１（実用新案登録第３０４３１８３号）に開示されているように、堤部を備え、堤部内に消毒液を含ませた保水部材を配置する殺菌用マットが知られている。
【０００５】
また特許文献２（特開２００１−１２８７５４号公報）には、台車に消毒液タンクと、消毒液圧送手段、車輪に消毒液を噴霧する噴射スプレーを設け、適宜な動作制御機構（圧送手段たるポンプの駆動制御、流量調整弁）を備え、所望時に車輪に向って消毒液を噴霧して調理室入室前の消毒を実施する台車が開示されている。
【０００６】
【特許文献１】実用新案登録第３０４３１８３号。
【特許文献２】特開２００１−１２８７５４号公報。
【考案の開示】
【考案が解決しようとする課題】
【０００７】
手作業による台車のタイヤ消毒は非常に煩瑣な作業であり、前記の殺菌用マットを使用したり、消毒液のスプレー噴射手段を台車に備えることは、手作業を排除した利点が大きいが、車輪にゴミ等が付着している場合、前記の殺菌用マットや消毒液のスプレー噴射では、そのゴミを取り除く機能が無いので、ゴミを付着したまま調理室に入ることになり、特にゴミの付着した裏面は消毒されないことになる。
【０００８】
更に消毒液噴射手段を配膳用台車に組み込む場合に、その装着設備費が高価になってしまうという問題もあり、また既存の配膳用台車への組み込みも煩瑣である。
【０００９】
そこで本考案は、安価に提供できると共に、車輪に付着したゴミの除去機能を有する消毒機構を備えた配膳用台車を提案したものである。
【課題を解決するための手段】
【００１０】
本考案（請求項１）に係る配膳用台車は、走行車輪及び多数の食事用トレーを載置する棚部を備えた配膳用台車において、適宜高さに装着した消毒液のタンクと、各車輪の走行表面に当接する拭浄部と、タンク内の消毒液を拭浄部に供給及び供給停止を行うコックを介してタンクと拭浄部とを連結するチューブとを備えてなることを特徴とするものである。
【００１１】
従って拭浄部に消毒液を含滲させると、車輪に消毒液が塗布されることになり、車輪の消毒がなされると共に、車輪に付着したゴミなども拭き取られる。
【００１２】
また本考案（請求項２，３）に係る配膳用台車は、前記の拭浄部を、下方開口の収納部と、収納部内に着脱自在に装着したスポンジ体で構成し、収納部の上面にチューブ先端を連結すると共に、台車の台座部下方に設けた車輪取付用側板に前記収納部の側面部を、自重でスポンジ体が車輪に当接できるように回動自在に装着し、前記スポンジ体に消毒液が滲みるようにチューブ先端を装着してなるものである。
【００１３】
而してチューブを通って消毒液がスポンジ体に滲ませて、台車を走行させると、スポンジ体は拭浄部の自重によって車輪に押し付けられるので、スポンジ体に滲ませた消毒液で車輪の走行表面を拭くことになり、消毒が実施される。またスポンジ体が汚れた場合には、収納部からスポンジ体を外し、洗浄したり取り替えることが可能である。
【考案の効果】
【００１４】
本考案の構成は上記のとおりで、タンクと拭浄部を既存の台車に装着し、コックを介したチューブで連結するだけの簡単な手段で且つ安価で消毒機能つきの配膳用台車とすることができるものである。
【考案を実施するための最良の形態】
【００１５】
次に本考案の実施形態について説明する。実施形態の示した配膳用台車は、台車本体１に、消毒機構を付設したものである。
【００１６】
台車本体１は既存の配膳用台車と同様であり、台座部１１の下方に走行車輪（方向自在のキャスター）１２を備え、台座部１１の上方に多数の食事用トレーを載置する棚部１３を多段に形成し、更に手押しハンドル１４を備えたものである。
【００１７】
消毒機構は、タンク２と、全ての走行車輪１２に付設した拭浄部３と、コック４と、チューブ５で構成される。
【００１８】
タンク２は所定の消毒液（アルコール液や次亜塩素酸ナトリウム溶液）を貯留するもので、食事用トレーの出し入れと、消毒液の自然流下を考慮して台車本体１における適当な位置（適宜の高さ）に装着するもので、タンク２の最下部にコック４を付設し、コック４にチューブ５を連結してなる。
【００１９】
拭浄部３は、下方開口の収納部３１と、収納部内に装着したスポンジ体３２で構成されるもので、収納部３１は、前後若しくは左右に係止爪３３を設けて、スポンジ体３２が着脱できるようにし、更に上面には、チューブ５の先端が差し込むことができる装着口３４を設け、側面部３５を、台車本体１の台座部１１の下方に設けた車輪取付用側板１５に回動自在に装着し、収納部３１が、その自重でスポンジ体３２が各車輪１２の走行表面に当接するようにしたものである。
【００２０】
而してタンク２に消毒液を注ぎ入れておき、調理室に台車を運び入れる直前にコック４を開くと、消毒液がチューブ５を通ってスポンジ体３２に滲み出し、車輪１２の走行表面に消毒液を塗布することになる（図３イ）。
【００２１】
従って車輪１２の走行表面が拭浄消毒されると共に、車輪１２にゴミなどが付着していても、スポンジ体３２と衝突して車輪１２の表面から引き剥がされて、車輪外に落下することになり、清浄な状態で調理室に運び入れることになり、調理室に雑菌を持ち込ませないようにしたものである。
【００２２】
またスポンジ体３２が磨耗したり、汚れた場合には、図３ロに示すとおり拭浄部３を持ち上げて回動し、係止爪３３からスポンジ体３２を外し、洗浄して再度取り付けたり、新規なものに取り替えるものである。
【図面の簡単な説明】
【００２３】
【図１】本考案の実施形態の全体斜視図。
【図２】同拭浄部の斜視図。
【図３】同拭浄部の側面図で、（イ）は使用時（ロ）はスポンジ体の取外し時を示す。
【符号の説明】
【００２４】
１        台車本体
１１      台座部
１２      走行車輪
１３      棚部
１４      手押しハンドル
１５      車輪取付用側板
２        タンク
３        拭浄部
３１      収納部
３２      スポンジ体
３３      係止爪
３４      装着口
３５      側面部
４        コック
５        チューブ
【図１】
0003132308.tif 000003
【図２】
0003132308.tif 000004
【図３】
0003132308.tif 000005